(57)【要約】【課題】絶縁体を容易かつ安全に除去することが可能なケーブル絶縁体除去工具およびケーブル絶縁体除去方法を提供する。【解決手段】中心導体３と、中心導体３の外周に設けられた絶縁体４と、を備え、中心導体３と絶縁体４とが接着されているケーブル２に用いられるケーブル絶縁体除去工具であって、絶縁体３を挟み込む絶縁体押え金具７を備え、絶縁体押え金具７で絶縁体を挟み込み絶縁体押え金具７をケーブル２の周方向に回転させることで、中心導体３と絶縁体４とを剥離させるものである。【選択図】図１
2015023596.tif 000002
【特許請求の範囲】
【請求項１】
中心導体と、該中心導体の外周に設けられた絶縁体と、を備え、前記中心導体と前記絶縁体とが接着されているケーブルに用いられるケーブル絶縁体除去工具であって、
前記絶縁体を挟み込む絶縁体押え金具を備え、
該絶縁体押え金具で前記絶縁体を挟み込み前記絶縁体押え金具を前記ケーブルの周方向に回転させることで、前記中心導体と前記絶縁体とを剥離させる
ことを特徴とするケーブル絶縁体除去工具。
【請求項２】
前記絶縁体押え金具は、下側金具と、該下側金具の上方に対向して設けられ、前記下側金具に載置された前記絶縁体を前記下側金具との間に挟み込む上側金具と、からなり、
前記下側金具と前記上側金具の少なくとも一方が、上下方向に移動可能に構成されている
請求項１記載のケーブル絶縁体除去工具。
【請求項３】
前記絶縁体押え金具の前記絶縁体を挟み込む面に、前記絶縁体を挟み込んだ際に前記絶縁体に食い込んで前記絶縁体の滑りを抑制する突起を形成した
請求項１または２記載のケーブル絶縁体除去工具。
【請求項４】
中心導体と、該中心導体の外周に設けられた絶縁体と、を備え、前記中心導体と前記絶縁体とが接着されているケーブルのケーブル絶縁体除去方法であって、
前記絶縁体を挟み込む絶縁体押え金具を備えたケーブル絶縁体除去工具を用い、
前記絶縁体押え金具で前記絶縁体を挟み込み前記絶縁体押え金具を前記ケーブルの周方向に回転させることで、前記中心導体と前記絶縁体とを剥離させる
ことを特徴とするケーブル絶縁体除去方法。
【発明の詳細な説明】
【技術分野】
【０００１】
本発明は、ケーブル絶縁体除去工具およびケーブル絶縁体除去方法に関するものである。
【背景技術】
【０００２】
中心導体の外周に絶縁体、外部導体、シースを順次形成した同軸ケーブルにおいて、中心導体と絶縁体とが接着材により接着されているものがある。
【０００３】
このようなケーブルにおいては、端末処理時に、カッターナイフを用いて絶縁体に周方向に沿って切り込みを入れて絶縁体を引っ張るだけでは、絶縁体を除去することは困難である。
【０００４】
そのため、従来は、カッターナイフを用いて絶縁体に長手方向に沿って切り込みを入れ、中心導体から絶縁体を剥がして除去していた。
【０００５】
なお、この出願の発明に関連する先行技術文献情報としては、特許文献１〜３がある。
【先行技術文献】
【特許文献】
【０００６】
【特許文献１】特開平９−３３１６１３号公報
【特許文献２】特開２００９−５０１５２号公報
【特許文献３】実開昭４７−２８６２８号公報
【発明の概要】
【発明が解決しようとする課題】
【０００７】
しかしながら、上述の従来方法では、カッターナイフを用いて絶縁体に長手方向に沿って切り込みを入れる際に、中心導体に傷がついてしまう場合があった。
【０００８】
また、カッターナイフを用いて絶縁体に長手方向に沿って切り込みを入れる作業は、カッターナイフを使用するために作業に危険が伴い、作業に時間がかかってしまうという問題もあった。
【０００９】
そこで、本発明の目的は、上記課題を解決し、絶縁体を容易かつ安全に除去することが可能なケーブル絶縁体除去工具およびケーブル絶縁体除去方法を提供することにある。
【課題を解決するための手段】
【００１０】
本発明は上記目的を達成するために創案されたものであり、中心導体と、該中心導体の外周に設けられた絶縁体と、を備え、前記中心導体と前記絶縁体とが接着されているケーブルに用いられるケーブル絶縁体除去工具であって、前記絶縁体を挟み込む絶縁体押え金具を備え、該絶縁体押え金具で前記絶縁体を挟み込み前記絶縁体押え金具を前記ケーブルの周方向に回転させることで、前記中心導体と前記絶縁体とを剥離させるケーブル絶縁体除去工具である。
【００１１】
前記絶縁体押え金具は、下側金具と、該下側金具の上方に対向して設けられ、前記下側金具に載置された前記絶縁体を前記下側金具との間に挟み込む上側金具と、からなり、前記下側金具と前記上側金具の少なくとも一方が、上下方向に移動可能に構成されていてもよい。
【００１２】
前記絶縁体押え金具の前記絶縁体を挟み込む面に、前記絶縁体を挟み込んだ際に前記絶縁体に食い込んで前記絶縁体の滑りを抑制する突起を形成してもよい。
【００１３】
また、本発明は、中心導体と、該中心導体の外周に設けられた絶縁体と、を備え、前記中心導体と前記絶縁体とが接着されているケーブルのケーブル絶縁体除去方法であって、前記絶縁体を挟み込む絶縁体押え金具を備えたケーブル絶縁体除去工具を用い、前記絶縁体押え金具で前記絶縁体を挟み込み前記絶縁体押え金具を前記ケーブルの周方向に回転させることで、前記中心導体と前記絶縁体とを剥離させるケーブル絶縁体除去方法である。
【発明の効果】
【００１４】
本発明によれば、絶縁体を容易かつ安全に除去することが可能なケーブル絶縁体除去工具およびケーブル絶縁体除去方法を提供できる。
【図面の簡単な説明】
【００１５】
【図１】本発明の一実施の形態に係るケーブル絶縁体除去工具を示す図であり、（ａ）は概略構成図、（ｂ）は絶縁体を挟み込んだときの要部拡大図である。
【図２】（ａ）〜（ｃ）は、図１のケーブル絶縁体除去工具を用いたケーブル絶縁体除去方法を説明する図である。
【図３】本発明の他の実施の形態に係るケーブル絶縁体除去工具を示す概略構成図である。
【発明を実施するための形態】
【００１６】
以下、本発明の実施の形態を添付図面にしたがって説明する。
【００１７】
図１は、本実施の形態に係るケーブル絶縁体除去工具を示す図であり、（ａ）は概略構成図、（ｂ）は絶縁体を挟み込んだときの要部拡大図である。
【００１８】
図１に示すように、ケーブル絶縁体除去工具１は、ケーブル２の中心導体３から絶縁体４を剥離させるために用いられるものである。
【００１９】
本実施の形態では、ケーブル２が、中心導体（内部導体）３と、中心導体３の外周に設けられた絶縁体４と、絶縁体４の外周に設けられた外部導体（シールド導体）５と、外部導体５の外周に設けられたシース６と、を備えた同軸ケーブルである場合を説明する。ケーブル２では、中心導体３と絶縁体４とが接着材により接着されている。なお、ケーブル２は同軸ケーブルに限定されず、中心導体の周囲に絶縁体が接着された構造のケーブルであれば本発明は適用可能である。
【００２０】
ケーブル絶縁体除去工具１は、絶縁体４を挟み込む絶縁体押え金具７を備え、絶縁体押え金具７で絶縁体４を挟み込み絶縁体押え金具７をケーブル２の周方向に回転させることで、中心導体３と絶縁体４とを剥離させるように構成される。
【００２１】
絶縁体押え金具７は、下側金具７ａと、下側金具７ａの上方に対向して設けられ、下側金具７ａに載置された絶縁体４を下側金具７ａとの間に挟み込む上側金具７ｂと、からなる。下側金具７ａは、絶縁体４を挟み込む際に絶縁体４との接触面積を増やすため、下方に凸の円弧状に形成される。同様に、上側金具７ｂは、上方に凸の円弧状に形成される。
【００２２】
下側金具７ａは、略左右反転したＣ字状に形成された本体部８の下部の内壁から上方に突出するように設けられている。上側金具７ｂは、本体部８の上部の内壁から下方に突出するように設けられ、上下方向に移動可能に構成されている。
【００２３】
換言すれば、下側金具７ａと上側金具７ｂとは、略左右反転したＣ字状の本体部８の欠損部に対向配置され、上側金具７ｂは下側金具７ａに対して近接後退可能に本体部８に設けられている。
【００２４】
本実施の形態では、本体部８に回転可能にハンドル９を設け、ハンドル９の回転に伴い上側金具７ｂが上下に移動するように構成した。下側金具７ａにケーブル２の絶縁体４を載置して、ハンドル９を回転させ上側金具７ｂを下方に移動させることで、両金具７ａ，７ｂ間に絶縁体４を挟み込むことができる。
【００２５】
なお、ここでは下側金具７ａを固定し上側金具７ｂを上下方向に移動可能に構成したが、上側金具７ｂを固定し下側金具７ａを上下方向に移動可能に構成してもよいし、両金具７ａ，７ｂを上下方向に移動可能に構成してもよい。つまり、下側金具７ａと上側金具７ｂの少なくとも一方が、上下方向に移動可能に形成されていればよい。
【００２６】
また、ここでは両金具７ａ，７ｂが上下方向に対向すると説明したが、ここでいう上下方向は正面視における上下方向（図１（ａ）における上下方向）であり、ケーブル絶縁体除去工具１を使用する際の方向を規定するものではない。
【００２７】
さらに、本実施の形態ではハンドル９の回転に伴って上側金具７ｂが移動するように構成したが、上側金具７ｂを移動させる構成はこれに限定されるものではない。
【００２８】
次に、ケーブル絶縁体除去工具１を用いたケーブル絶縁体除去方法を説明する。
【００２９】
図２（ａ）に示すように、まず、ケーブル２の先端部において外部導体５とシース６を除去して絶縁体４を露出させ、カッターナイフ２１を用いて、絶縁体４に周方向に沿って（輪切り状に）切り込み２２を形成する。切り込み２２を形成する際には、絶縁体４を完全に切断する必要はなく、中心導体３に傷がつかないように、絶縁体４を若干残した状態とすることが望ましい。
【００３０】
その後、図２（ｂ）に示すように、切り込み２２よりも先端側の絶縁体４をケーブル絶縁体除去工具１の下側金具７ａに載置し、ハンドル９を回転させて上側金具７ｂを下方に移動させて、両金具７ａ，７ｂ間に絶縁体４を挟み込む。その後、ケーブル２が回転しないように手などで支持した状態で、ケーブル絶縁体除去工具１全体をケーブル２の周方向に回転させる。
【００３１】
これにより、ケーブル絶縁体除去工具１の回転に伴って切り込み２２よりも先端側の絶縁体４が強制的に中心導体３に対して回転され、中心導体３と絶縁体４とが剥離されると共に、切り込み２２にて残した部分の絶縁体４が断裂される。
【００３２】
その後、ケーブル絶縁体除去工具１を取り外し、図２（ｃ）に示すように、手もしくはペンチ等の工具を用いて、切り込み２２よりも先端側の絶縁体４を引き抜く。以上により、ケーブル２の絶縁体４の除去作業が完了する。
【００３３】
以上説明したように、本実施の形態に係るケーブル絶縁体除去工具１では、絶縁体４を挟み込む絶縁体押え金具７を備え、絶縁体押え金具７で絶縁体４を挟み込み絶縁体押え金具７をケーブル２の周方向に回転させることで、中心導体３と絶縁体４とを剥離させている。
【００３４】
このような構成のケーブル絶縁体除去工具１を用いることにより、従来のようにカッターナイフ２１を用いて絶縁体４に長手方向に沿って切り込みを入れる作業を行わずとも、絶縁体４を容易に除去することが可能になり、中心導体３に傷がついてしまうことを抑制することが可能になる。
【００３５】
また、カッターナイフ２１を用いて絶縁体４に長手方向に沿って切り込みを入れる作業を省略できるため、従来と比較して絶縁体４を除去する作業を安全かつ短時間で行うことが可能になり、作業性および量産性を向上できる。
【００３６】
また、ケーブル絶縁体除去工具１では、上側金具７ｂを上下方向に移動可能に形成しているため、ケーブル２の絶縁体４の外径に合わせて両金具７ａ，７ｂの幅を調整可能であり、様々なサイズのケーブル２に対応可能である。
【００３７】
次に、本発明の他の実施の形態を説明する。
【００３８】
図３に示すケーブル絶縁体除去工具３１は、図１のケーブル絶縁体除去工具１において、絶縁体押え金具７の絶縁体４を挟み込む面、すなわち下側金具７ａの上面や上側金具７ｂの下面に、絶縁体４を挟み込んだ際に絶縁体４に食い込んで絶縁体４の滑りを抑制する突起３２を形成したものである。
【００３９】
ここでは、下側金具７ａと上側金具７ｂの両方に突起３２を形成したが、いずれか一方のみに突起３２を形成するようにしてもよい。
【００４０】
突起３２を形成することで、ケーブル絶縁体除去工具３１を回転させて中心導体３と絶縁体４とを剥離させる際に、絶縁体４が滑ってしまうことを抑制できる。そのため、絶縁体４を挟み込む力（絶縁体４を押さえ込む力）を小さくしても絶縁体４の滑りを抑制することが可能になり、ケーブル絶縁体除去工具３１を回転させる際の力を小さくして作業性を向上させることができる。
【００４１】
なお、絶縁体４の滑りを抑制する手段は突起３２に限定されるものではなく、例えば、絶縁体押え金具７の絶縁体４を挟み込む面を粗化したり、あるいは滑り止め用の溝を周方向に間隔をおいて形成することなども可能である。
【００４２】
また、ケーブル絶縁体除去工具３１では、中心導体３と絶縁体４とを剥離させた後に、上側金具７ｂを若干後退させて絶縁体４を挟み込む力のみを解放すれば、係止したままの突起３２を利用して、ケーブル絶縁体除去工具３１に力を加えて絶縁体４を引き抜く作業も引き続き行うことが可能になり、作業時間の大幅な短縮が可能である。
【００４３】
本発明は上記実施の形態に限定されるものではなく、本発明の趣旨を逸脱しない範囲で種々の変更を加え得ることは勿論である。
【符号の説明】
【００４４】
１  ケーブル絶縁体除去工具
２  ケーブル
３  中心導体
４  絶縁体
５  外部導体
６  シース
７  絶縁体押え金具
７ａ  下側金具
７ｂ  上側金具
８  本体部
９  ハンドル
【図１】
2015023596.tif 000003
【図２】
2015023596.tif 000004
【図３】
2015023596.tif 000005